(57)【要約】【課題】  ＥＭＩシールドの効果を高めることができるケーブルコネクタ及びそのケーブルコネクタを備えたケーブルを提供することにある。【解決手段】  心線１１とこの心線に外装されたシールド線１２を有するケーブル１０の端部に取り付けられ、前記ケーブルと装置とを電気的に接続するケーブルコネクタ２０は、前記心線を保持する心線保持手段２１と、この心線保持手段に一体化され、前記シールド線を保持するシールド線保持手段２２と、前記心線保持手段と前記シールド線保持手段との隙間を封止する封止手段２３とを備える。これにより、ケーブルとケーブルコネクタとの接続部で生じる隙間を完全に塞いでＥＭＩシールドの効果を高めることができるので、ＥＭＩのノイズマージンを減少させることができる。【選択図】  図１
2006286229.tif 000002
【特許請求の範囲】
【請求項１】
心線とこの心線に外装されたシールド線を有するケーブルの端部に取り付けられ、前記ケーブルと装置とを電気的に接続するケーブルコネクタであって、
前記心線を保持する心線保持手段と、
この心線保持手段に一体化され、前記シールド線を保持するシールド線保持手段と、
前記心線保持手段と前記シールド線保持手段との隙間を封止する封止手段とを備えたことを特徴とするケーブルコネクタ。
【請求項２】
前記封止手段は、前記隙間を被覆する金属箔であることを特徴とする請求項１に記載のケーブルコネクタ。
【請求項３】
前記心線保持手段は、前記心線の端部を挟み込んで保持可能に分割され、前記シールド線保持手段は、分割された前記心線保持手段にそれぞれ一体化されて前記シールド線の端部を挟み込んで保持することを特徴とする請求項１又は２に記載のケーブルコネクタ。
【請求項４】
前記心線保持手段は、前記心線の端部を挟み込んで保持可能に分割され、前記シールド線保持手段は、分割された前記心線保持手段の１つに一体化されて前記シールド線の端部を一側から保持することを特徴とする請求項１又は２に記載のケーブルコネクタ。
【請求項５】
心線とこの心線に外装されたシールド線を有するケーブルであって、
請求項１〜４の何れか一項に記載のケーブルコネクタを備えたことを特徴とするケーブル。
【発明の詳細な説明】
【技術分野】
【０００１】
本発明は、心線とこの心線に外装されたシールド線を有するケーブルの端部に取り付けられ、ケーブルと装置とを電気的に接続するケーブルコネクタ及びそのケーブルコネクタを備えたケーブルに関する。
【背景技術】
【０００２】
例えば同軸ケーブル用のコネクタは、コネクタ本体と、このコネクタ本体の端部の一縁部から延びる中継部に連結された編組線圧着部と、コネクタ本体の上記端部の一縁部に対向する他縁部から延びるシールド用延設部を備えている。そして、同軸ケーブルの芯線は、コネクタ本体内に保持され、同軸ケーブルの編組線は、編組線圧着部とシールド用延設部に挟み込まれ、編組線圧着部にカシメられて保持されている（特許文献１参照）。
【０００３】
【特許文献１】特開２００４−３０３６９２号公報
【発明の開示】
【発明が解決しようとする課題】
【０００４】
上述したコネクタは、同軸ケーブルの編組線を編組線圧着部とシールド用延設部で挟み込むことによりＥＭＩ（Ｅｌｅｃｔｒｏ  Ｍａｇｎｅｔｉｃ  Ｉｎｔｅｒｆｅｒｅｎｎｃｅ）シールドを施している。ところが、編組線圧着部はコネクタ本体の端部の一縁部から延びる中継部に連結されているため、この中継部とシールド用延設部の間で隙間が生じ易く、ＥＭＩシールドが不完全なものとなるおそれがある。
【０００５】
本発明は、上記のような種々の課題に鑑みなされたものであり、その目的は、ＥＭＩシールドの効果を高めることができるケーブルコネクタ及びそのケーブルコネクタを備えたケーブルを提供することにある。
【課題を解決するための手段】
【０００６】
上記目的達成のため、本発明のケーブルコネクタでは、心線とこの心線に外装されたシールド線を有するケーブルの端部に取り付けられ、前記ケーブルと装置とを電気的に接続するケーブルコネクタであって、前記心線を保持する心線保持手段と、この心線保持手段に一体化され、前記シールド線を保持するシールド線保持手段と、前記心線保持手段と前記シールド線保持手段との隙間を封止する封止手段とを備えたことを特徴としている。これにより、ケーブルとケーブルコネクタとの接続部で生じる隙間を完全に塞いでＥＭＩシールドの効果を高めることができるので、ＥＭＩのノイズマージンを減少させることができる。
【０００７】
前記封止手段は、前記隙間を被覆する金属箔であることを特徴としている。これにより、ケーブルとケーブルコネクタとの接続部で生じる隙間に封止手段を密着させることができるので、上記隙間を完全に塞ぐことができる。前記心線保持手段は、前記心線の端部を挟み込んで保持可能に分割され、前記シールド線保持手段は、分割された前記心線保持手段にそれぞれ一体化されて前記シールド線の端部を挟み込んで保持することを特徴としている。これにより、シールド線の端部の周囲を覆うことができるので、シールド線の端部におけるＥＭＩシールドの効果を高めることができる。前記心線保持手段は、前記心線の端部を挟み込んで保持可能に分割され、前記シールド線保持手段は、分割された前記心線保持手段の１つに一体化されて前記シールド線の端部を一側から保持することを特徴としている。これにより、既存のケーブルコネクタであっても本発明を適用することができる。
【０００８】
上記目的達成のため、本発明のケーブルでは、心線とこの心線に外装されたシールド線を有するケーブルであって、上記各ケーブルコネクタを備えたことを特徴としている。これにより、上記各作用効果を奏するケーブルを提供することが可能である。
【発明を実施するための最良の形態】
【０００９】
本発明の実施形態について、図面を参照して説明する。なお、以下に説明する実施形態は特許請求の範囲に係る発明を限定するものではなく、また実施形態の中で説明されている特徴の組み合わせの全てが発明の解決手段に必須であるとは限らない。
【００１０】
図１は、本発明の一実施の形態に係るケーブルコネクタを備えたケーブルを示す斜視図、図２は、その主要部の概略を示す分解斜視図である。このケーブルコネクタ２０は、例えばコンピュータと周辺機器とのＵＳＢ（Ｕｎｉｖｅｒｓａｌ  Ｓｅｒｉａｌ  Ｂｕｓ）接続に使用されるケーブル１０の端部に取り付けられている。図示のケーブルコネクタ２０は、先端部が周辺機器である例えばプリンタに設けられているＵＳＢコネクタに差し込まれるようになっている。
【００１１】
ケーブル１０は、３本の信号線（心線）１１の外周が編組線（シールド線）１２で覆われ、この編組線１２の外周が外皮１３で覆われた構成となっている。信号線１１は、例えば複数本の軟銅線を捩ったより線を塩化ビニール樹脂混合物で被覆したビニール絶縁電線であり、記録情報等を伝送する機能を有している。編組線１２は、例えばアルミニウム線をチューブ状に編み上げた編み線であり、信号線１１からの電界の漏洩等を遮蔽する機能を有している。外皮１３は、例えば塩化ビニール樹脂混合物をチューブ状に形成したビニール絶縁外装であり、編組線１２を絶縁する機能を有している。
【００１２】
ケーブルコネクタ２０は、信号線１１を保持して電気的に接続するコネクタシェル（心線保持手段）２１と、このコネクタシェル２１と一体化されており、編組線１２を保持して電気的に接続するコネクタアーム（シールド線保持手段）２２と、コネクタシェル２１とコネクタアーム２２との隙間を封止する封止材（封止手段）２３を備えている。
【００１３】
コネクタシェル２１は、例えば鋼鈑の折り曲げ加工により、略直方体容器状となるように形成されている。すなわち、コネクタシェル２１は、略矩形状の鋼鈑を側面が略Ｃ字の箱型形状となるように折り曲げ加工した一対のシェル部２１ａ、２１ｂを備え、各シェル部２１ａ、２１ｂの開口側を相互に組み合わせることにより、シェル部２１ａ、２１ｂの内部に信号線１１の端部を挟み込んで保持するようになっている。このとき、信号線１１の端部は、コネクタシェル２１内に配設される図示しない端子に半田付け等されて端子に電気的に接続されている。
【００１４】
コネクタアーム２２は、各シェル部２１ａ、２１ｂの端部から突き出るように一体形成されている。すなわち、コネクタアーム２２は、略帯形状であって先端部に三角形状のカシメ用爪２２ａａ、２２ｂａとカシメ用切欠き２２ａｂ、２２ｂｂが打ち抜き加工された一対のカシメ部２２ａ、２２ｂを備え、各カシメ部２２ａ、２２ｂにより編組線１２の端部を挟み込んで保持するようになっている。このとき、編組線１２の端部は、コネクタアーム２２に挟み込まれカシメられてコネクタシェル２１に電気的に接続されている。
【００１５】
ここで、ケーブルコネクタ２０は、コネクタシェル２１の各シェル部２１ａ、２１ｂが相互に組み合わされ、コネクタアーム２２の各カシメ部２２ａ、２２ｂが相互にカシメられた構成となっているので、各シェル部２１ａ、２１ｂの間や各カシメ部２１ａ、２１ｂの間、さらには各シェル部２１ａ、２１ｂと各カシメ部２２ａ、２２ｂの間に隙間が生じ易く、ＥＭＩシールドが不完全なものとなるおそれがある。そこで、本実施形態のケーブルコネクタ２０は、上記隙間を封止する封止材２３を備えている。
【００１６】
この封止材２３は、例えば銅やアルミニウムで成る金属箔であり、コネクタアーム２２を中心にコネクタシェル２１の端部とケーブル１０の端部とに密着して覆うように巻回されている。これにより、各シェル部２１ａ、２１ｂの間や各カシメ部２２ａ、２２ｂの間、さらには各シェル部２１ａ、２１ｂと各カシメ部２２ａ、２２ｂの間で生じる隙間を完全に塞いでＥＭＩシールドの効果を高めることができるので、ＥＭＩのノイズマージンを減少させることができる。
【００１７】
そして、最終的に、封止材２３を中心にコネクタシェル２１の中央部からケーブル１０の端部は例えばポリカーボネート等により樹脂モールド３０されて絶縁されるようになっている。なお、上述した実施形態では、コネクタアーム２２は、各シェル部２１ａ、２１ｂの端部から突き出るように一体形成され、略帯形状であって先端部に三角形状のカシメ用爪２２ａａ、２２ｂａとカシメ用切欠き２２ａｂ、２２ｂｂが打ち抜き加工された一対のカシメ部２２ａ、２２ｂを備えた構成としたが、例えば、カシメ部を一方のシェル部のみに設けても良く、また、カシメ用爪とカシメ用切欠きを三角形状以外の形状としても良い。以上のような構成において、図を参照してケーブル１０の端部にケーブルコネクタ２０を取り付ける手順を説明する。
【００１８】
先ず、図３に示すように、ケーブル１０の端部の外皮１３を切り取って編組線１２を露出させ、さらに編組線１２の端部を切り取って３本の信号線１１を露出させ、各信号線１１のより線を剥き出す。そして、編組線１２がコネクタアーム２２のカシメ部２２ａ上に位置するようにして、各信号線１１のより線をコネクタシェル２１の一方のシェル部２１ａ内に配設されている図示しない端子に半田付けする。
【００１９】
次に、図４に示すように、上記シェル部２１ａに他方のシェル部２１ｂを被せ、カシメ部２１ａ、２１ｂを外側から挟持して加圧することにより、カシメ用爪２２ａａ、２２ｂａを湾曲させて編組線１２を周囲から包み込むようしてカシメる。このとき、カシメ用爪２２ａａはカシメ用切欠き２２ｂｂに入り込み、カシメ用爪２２ｂａはカシメ用切欠き２２ａｂに入り込むので、編組線１２の略全周を覆うことができる。
【００２０】
次に、図５に示すように、封止材２３をコネクタアーム２２を中心にコネクタシェル２１の端部とケーブル１０の端部とに密着して覆うように１巻きし、各シェル部２１ａ、２１ｂの間や各カシメ部２１ａ、２１ｂの間、さらには各シェル部２１ａ、２１ｂと各カシメ部２１ａ、２１ｂの間で生じる隙間を完全に塞ぐ。そして、この封止材２３を中心にコネクタシェル２１の中央部からケーブル１０の端部にかけて樹脂モールド３０することにより、図１に示すようなケーブルコネクタ２０を備えたケーブル１０とすることができる。なお、ケーブル１０の他端側には異なる形状のケーブルコネクタが接続されるが、このケーブルコネクタ２０と同様の構成となっている。
【００２１】
以上のように、本実施形態のケーブルコネクタ２０を備えたケーブル１０によれば、封止材２３によりＥＭＩシールドの効果を高めることができるので、ＥＭＩのノイズマージンを減少させることができる。特に、ケーブルに取り付ける必要があったコアを不要とすることができるので、種々のコストを低減させることができる。また、封止材２３により編組線１２がバラけることを防止することができるので、ケーブル１０の端部にケーブルコネクタ２０を取り付ける作業の効率を高めることができる。
【産業上の利用可能性】
【００２２】
ケーブルコネクタを備えたケーブルであれば、ＵＳＢケーブルに限定されるものではなく、例えばシリアルケーブルやパラレルケーブル等の信号ケーブルや、電力ケーブル等にも適用可能である。
【図面の簡単な説明】
【００２３】
【図１】本発明の一実施の形態に係るケーブルコネクタを備えたケーブルを示す斜視図である。
【図２】図１の主要部の概略を示す分解斜視図である。
【図３】図１のケーブルの端部にケーブルコネクタを取り付ける手順を説明する第１の図である。
【図４】図１のケーブルの端部にケーブルコネクタを取り付ける手順を説明する第２の図である。
【図５】図１のケーブルの端部にケーブルコネクタを取り付ける手順を説明する第３の図である。
【符号の説明】
【００２４】
１０  ケーブル、１１  信号線、１２  編組線、１３  外皮、２０  ケーブルコネクタ、２１  コネクタシェル、２１ａ、２１ｂ  シェル部、２２  コネクタアーム、２２ａ、２２ｂ  カシメ部、２２ａａ、２２ｂａ  カシメ用爪、２２ａｂ、２２ｂｂ  カシメ用切欠き、２３  封止材、３０  樹脂モールド
【図１】
2006286229.tif 000003
【図２】
2006286229.tif 000004
【図３】
2006286229.tif 000005
【図４】
2006286229.tif 000006
【図５】
2006286229.tif 000007